【手続補正書】
【提出日】平成19年3月8日(2007.3.8)
【手続補正１】
【補正対象書類名】明細書
【補正対象項目名】全文
【補正方法】変更
【補正の内容】
【書類名】明細書
【発明の名称】横型回転乾燥機
【特許請求の範囲】
【請求項１】軸心方向まわりに回動自在な回転筒を備え、回転筒内に加熱管が配置され、この加熱管を回転筒内周面に対して支持する支持部材が前記回転筒内周面から突出するように設けられ、前記回転筒を回転させながら前記回転筒内にその一端側から装入した被乾燥物を他端側へ移動させ、他端側から排出させるとともに、その移動過程で前記加熱管内に通した乾燥用外熱により被乾燥物を乾燥させる横型回転式乾燥機であって、
前記支持部材に、前記被乾燥物が前記軸心方向に沿って通り抜ける通過孔を設けたことを特徴とする、横型回転乾燥機。
【請求項２】前記通過孔が、前記支持部材における前記回転筒内周面がわ端部に形成されている、請求項１記載の横型回転乾燥機。
【請求項３】軸心方向まわりに回動自在な断面円形の回転筒を備え、回転筒内における軸心部を除く周囲部分全体に回転筒の軸心と平行的な複数の加熱管が配置され、回転筒内における長手方向中間位置に、前記回転筒内周面から突出するとともに回転筒内周方向に沿って環状に連続する環状支持板が設けられ、この環状支持板によって前記加熱管が回転筒内周面に対して支持されてなり、
前記回転筒を回転させながら前記回転筒内にその一端側から装入した被乾燥物を他端側へ移動させ、他端側から排出させるとともに、その移動過程で前記加熱管内に通した乾燥用外熱により被乾燥物を乾燥させる横型回転式乾燥機であって、
前記環状支持板の外周縁部に、前記被乾燥物が前記軸心方向に沿って通り抜ける通過孔を設けたことを特徴とする、横型回転乾燥機。
【発明の詳細な説明】
【０００１】
【発明の属する技術分野】
本発明は、回転筒が回動自在に支持された横型回転式乾燥機に関する。
【０００２】
【従来の技術】
この種の横型回転式乾燥機の従来例として、図５に示されるようなスチームチューブドライヤーが知られている。かかる加熱乾燥機横型間接加熱乾燥機は、容積あたりの過熱面積が大きく、したがって乾燥能力が大きく、伝熱速度が高いという特徴があり、さらに排気ガスの処理設備を必要とせず、また運転操作が容易であるなどの利点を有するために、汎用されている。
【０００３】
一般的に回転筒１１０は１０ｍから３０ｍの長さを有しており、この回転筒１１０内において、湿潤粉体または粒状粉体を、熱媒体により加熱した加熱管１１１と接触させ、回転筒１１０の回転につれて、順次排出口１１２に移動させながら連続的に移動させるようになっている。
【０００４】
従って、回転筒１１０は、一端の原料（被乾燥品）装入口１２１から乾燥品排出口１１２へ原料を円滑に移送するためにやや下り勾配をもって設置される。回転筒は、２箇所の基台１３１，１３１上にそれぞれ設けられた支承ローラ１３０，１３０上に、タイヤ１１４，１１４を介して支承されており、前記下り勾配は、前記２箇所の基台１３１，１３１および支承ローラ１３０，１３０の高さと角度とによって調節される。
【０００５】
一方、回転筒１１０を回転させるために、回転筒１１０の周囲には、従動ギア１５０が設けられており、これに駆動ギア１５３が噛合し、原動機１５１の回転力が減速機１５２を介して伝達され、回転筒がその軸心回りに回転するようになっている。
【０００６】
また、スチームチューブドライヤーにおいては、回転筒の両端板間に軸心と平行的に多数の加熱管１１１が配設され、熱媒体としての加熱蒸気は、回転継手１６０に取付けられた熱媒体入口管１６１を通して供給され各加熱管１１１に流通された後、熱媒体出口管１６２を介して排出される。さらに詳細には図６および図７に示されるように、加熱管１１１は回転筒内における軸心部を除く周囲部分全体に配列され、回転筒１１０内における長手方向中間位置に、回転筒１１０内周面から突出するとともに回転筒１１０内周方向に沿って環状に連続する環状支持板１１８が回転筒横断方向に沿う姿勢で所定数設けられ、この環状支持板１１８によって加熱管１１１が回転筒内周面に対して支持される。
【０００７】
【発明が解決しようとする課題】
しかしながら、加熱管を回転筒内周面に対して支持する支持部材（環状支持板１１８）を回転筒内に突出するように設けた場合、支持部材の上流側に被乾燥物が滞留し易く、過度に乾燥されてしまうという問題点があった。
【０００８】
特に上述従来例の環状支持板の場合、被乾燥物が環状支持板の周縁部上流側面と回転筒内面との隅部に非常に長時間にわたり滞留し、当該滞留物が過度に乾燥され細粒化・粉粒化した後に排出されることになり、その後の搬送・投棄等において粉塵が発生するなど排出乾燥物の取扱いが困難となるという問題点があった。
【０００９】
そこで、本発明の主たる課題は、回転筒内における被乾燥物の過度な滞留及びそれによる過度な乾燥を防止し、もって排出乾燥物の取扱いを容易にすることにある。
【００１０】
【課題を解決するための手段】
上記課題を解決した本発明は、軸心方向まわりに回動自在な回転筒を備え、回転筒内に加熱管が配置され、この加熱管を回転筒内周面に対して支持する支持部材が前記回転筒内周面から突出するように設けられ、前記回転筒を回転させながら前記回転筒内にその一端側から装入した被乾燥物を他端側へ移動させ、他端側から排出させるとともに、その移動過程で前記加熱管内に通した乾燥用外熱により被乾燥物を乾燥させる横型回転式乾燥機であって、
前記支持部材に、前記被乾燥物が前記軸心方向に沿って通り抜ける通過孔を設けたことを特徴とする、横型回転乾燥機である。
【００１１】
本発明の通過孔は、前記支持部材における前記回転筒内周面がわ端部に形成されているのが好ましい。
【００１２】
さらに具体的には、軸心方向まわりに回動自在な断面円形の回転筒を備え、回転筒内における軸心部を除く周囲部分全体に回転筒の軸心と平行的な複数の加熱管が配置され、回転筒内における長手方向中間位置に、前記回転筒内周面から突出するとともに回転筒内周方向に沿って環状に連続する環状支持板が設けられ、この環状支持板によって前記加熱管が回転筒内周面に対して支持されてなり、
前記回転筒を回転させながら前記回転筒内にその一端側から装入した被乾燥物を他端側へ移動させ、他端側から排出させるとともに、その移動過程で前記加熱管内に通した乾燥用外熱により被乾燥物を乾燥させる横型回転式乾燥機であって、
前記環状支持板の外周縁部に、前記被乾燥物が前記軸心方向に沿って通り抜ける通過孔を設けたことを特徴とする、横型回転乾燥機を提案する。
【００１３】
＜作用＞
上述のように、支持部材（または環状支持板）に被乾燥物通過孔を設けると、回転筒内にその一端側から装入した被乾燥物を他端側へ移動させる過程において、被乾燥物が支持部材上流側に位置したとしても、当該通過孔を介して支持部材を通り抜け移動することが可能なため、被乾燥物の過度な滞留及びそれによる過度な乾燥を最小限度に抑制することができるようになる。
【００１４】
【発明の実施の形態】
本発明にかかる横型回転式乾燥機を、回転式スチームドライヤーを例にして、図１〜図５を参照しながらさらに詳述する。
回転式スチームドライヤー１は、回転する回転筒１０内において、装入口２１より投入された湿潤粉体または粒状粉体を、熱媒体（たとえば加熱蒸気）により加熱した加熱管１１と接触させて乾燥させるとともに、回転筒１０が下り勾配をもって設置されていることで、順次排出口１２に移動させて連続的に排出させるようになっている。
【００１５】
被乾燥物は、装入口２１から投入シュート２０を介して回転筒１０内に装入される。前記投入シュート２０は、装入口側端板の中央に形成された開口部１３より回転筒１０内にその一端が挿入されており、装入口２１より投入された被乾燥物が投入シュート２０内を重力によりすべり落ちて回転筒１０内に装入されるようになっている。固定の投入シュート２０に対して回転筒１０は回動自在に接続されている。
【００１６】
図２にも示されるように、回転筒１０の被乾燥物の装入側は、基台３１の上に設置され、回転筒の軸心と平行に間隔を置いて配された２つの支承ローラ３０，３０によって、タイヤ１４を介して支承されている。回転筒１０の下り勾配および直径に合わせて２つの支承ローラ３０，３０間の幅およびそれらの長手方向傾斜角度が選択される。
【００１７】
加熱管１１は、前記回転筒１の両端部の端板間に軸心と平行的に多数配されており、これらの加熱管１１に熱媒体として蒸気を供給し、回転筒１０内において被乾燥物と熱交換を行う。
【００１８】
さらに詳細には図２および図３にも示されるように、加熱管１１は回転筒内における軸心部を除く周囲部分全体に配列されている。回転筒１０内における長手方向中間位置には、回転筒１０内周面から突出するとともに回転筒１０内周方向に沿って環状に連続する環状支持板１８が回転筒横断方向に沿う姿勢で所定数（一枚または間隔をおいて複数枚）嵌め入れられて固定されており、加熱管１１はこの環状支持板１８を貫通して回転筒１０内を軸心方向に延在している。かくして、環状支持板１８によって加熱管１１が撓みや曲がりを生じないように回転筒１０内周面に対して支持される。
【００１９】
そしてかかる構成のもと、本発明に従って、環状支持板１８の外周縁部に、被乾燥物が回転筒１０の軸心方向に沿って通り抜ける通過孔１８ａ，１８ａ…が設けられている。この通過孔１８ａ，１８ａ…は、図示例のように、支持板１８の外周縁部の一部をきり欠くことにより回転筒内周面を周壁として含む孔として形成したり、図示しないが周縁部にドリル等により穿孔形成しても良い。また、かかる外周縁部通過孔とともに又はこれに代えて外周縁部以外の部位（中央の通過孔１８Ｂを除く）に一つ又は複数の通過孔を設けることができる。したがって例えば環状支持板の全体にわたり散点状に通過孔を設けることもできる（図示せず）。
【００２０】
なお、本発明における加熱管１１を支持する支持部材としては、上述のように回転筒内周方向に沿って環状に連続突出する環状の支持部材１８のほか、部分的たとえば回転筒内周方向に沿って配列された相互に不連続な部材であっても良い（図示せず）。さらにこの場合、図示の環状支持板１８にならって、支持部材における回転筒内周面がわ端部に、当該部位を切り欠く等により通過孔を設けるのが好ましく、またこの端部通過孔とともに又はこれに代えて当該端部以外の部位に通過孔を設けたりすることもできる（図示せず）。
【００２１】
かくして、回転筒１０内にその一端側から装入した被乾燥物を他端側へ移動させる過程において、被乾燥物が環状支持板１８の上流側に位置したとしても、支持板外周縁部の通過孔１８ａ，１８ａ…を介して当該支持板１８を通り抜け移動することができ、被乾燥物の過度な滞留及びそれによる過度な乾燥が最小限度に抑制される。
【００２２】
一方、図４に示されるように、回転筒１０の乾燥物の排出側においては、排出口側鏡板１０Ｅが設けられており、この排出口側鏡板１０Ｅの中央に、回転筒１０の軸心に沿って支持軸としての中空軸４０が一体化されている。この中空軸４０は、取付台４１上に保持された軸受４２によって回動自在に軸支されている。実施例における軸受としては、低摩擦のころがり転動体４２ａが使用されている。
【００２３】
また、回転筒１０を回転させるために、モーター５１に連結された減速機５２を介してその出力軸に固定されたスプロケット５０Ａと、前記中空軸４０の外周に固定されたスプロケット５０Ｂとに、チェーン５３が巻き掛けられ、モーター５１からの駆動回転力が中空軸４０に伝達され、回転筒１０を軸心回りに回転させるようになっている。
【００２４】
他方、回転筒１０の排出口側内部には仕切端板１５が備えられており、前記排出口側鏡板１０Ｅとこの仕切端板１５とで回転筒内の排出口側端部に蒸気室１０Ｓが形成されている。回転筒１０の軸心方向と平行に配されている加熱管１１，１１…群は、仕切端板１５に固定されるとともに、蒸気室１０Ｓと連通している。この蒸気室１０Ｓは中空軸４０内と連通し、中空軸４０内には、回転継手６０を介して蒸気供給管６１が接続されており、したがって、中空軸４０内を通って蒸気が蒸気室１０Ｓを通って各に加熱管１１，１１…群内に供給されるようになっている。また、蒸気室１０Ｓに底部に開口端が臨むドレン排出管６２は、中空軸４０内を通り外部に延在している。符号Ｇは乾燥に伴う排ガス出口である。
【００２５】
【発明の効果】
以上のとおり、本発明によれば、回転筒内における被乾燥物の過度な滞留及びそれによる過度な乾燥が防止され、もって排出乾燥物の取扱いが容易になるなどの利点がもたらされる。
【図面の簡単な説明】
【図１】
本発明に係る横型回転式乾燥機を示す概略図である。
【図２】
そのＩＩ−ＩＩ横断面図である。
【図３】
その要部を示す縦断面図である。
【図４】
その駆動部の拡大図である。
【図５】
従来例を示す斜視図である。
【図６】
その要部縦断面図である。
【図７】
その要部横断面図である。
【符号の説明】
１０…回転筒、１０Ｅ…排出口側鏡板、１１…加熱管、１２…排出口、１５…仕切端板、１８…環状支持板、１８ａ…通過孔、３０…支承ローラ、３１…基台、４０…中空軸、４１…取付台、４２…軸受、５１…モーター、Ｇ…排ガス出口。